(57)【要約】  本発明の文字入力装置は、スティックと、選択信号を入力するための選択ボタンと、スティックの移動方向にそれぞれ対応する複数の漢字構成単位とを含む第１テーブル及び１つ以上の漢字構成単位の配列に対応する漢字を含む第２テーブルを保存する保存部と、スティックの中心点を基準としてスティックの移動方向を感知する感知部と、第１テーブルを参照して感知された移動方向に対応する漢字構成単位を検索する検索部と、（１）現在時点までに検索された漢字構成単位を配列し、第２テーブルを参照して配列された漢字構成単位に対応する未完成漢字を生成し、（２）第２テーブルを参照して配列された漢字構成単位に１つ以上の漢字構成単位を追加で配列することで生成される１つ以上の第１漢字を生成する漢字生成部と、所定のディスプレイ部上に（２Ｎ＋１）個の行と（２Ｎ＋１）個の列で構成される（２Ｎ＋１）×（２Ｎ＋１）個の表示領域を選定し、（Ａ）生成された未完成漢字を表示領域内で（Ｎ＋１）行×（Ｎ＋１）列で選定される表示領域の中央表示領域に表示し、（Ｂ）生成された１つ以上の第１漢字を中央表示領域以外のその他の表示領域に１つずつ表示する表示部（Ｎは正数である）と、表示された第１漢字を閲覧したユーザが選択ボタンを用いて表示された第１漢字のうちのいずれか１つの第１漢字を選択する選択信号を入力した場合、選択された第１漢字をユーザが入力した文字として決定する検証部と、を含み、未完成漢字は、第１漢字よりも１つ以上画不足な漢字を意味している。【選択図】図１２
2008533626.tif 000002
【特許請求の範囲】
【請求項１】
漢字入力を支援する文字入力装置であって、
スティックと、
選択信号を入力するための選択ボタンと、
前記スティックの移動方向にそれぞれ対応する複数の漢字構成単位を含む第１テーブル及び１つ以上の漢字構成単位の配列に対応する漢字を含む第２テーブルを保存する保存部と、
前記スティックの中心点を基準として前記スティックの移動方向を感知する感知部と、
前記第１テーブルを参照して前記感知された移動方向に対応する漢字構成単位を検索する検索部と、
（１）現在時点までに検索された漢字構成単位を配列し、前記第２テーブルを参照して前記配列された漢字構成単位に対応する「未完成漢字」を生成し、（２）前記第２テーブルを参照して前記配列された漢字構成単位に１つ以上の漢字構成単位を追加して配列することで生成される１つ以上の第１漢字を生成する漢字生成部と、
所定のディスプレイ部上に（２Ｎ＋１）個の行と（２Ｎ＋１）個の列で構成される（２Ｎ＋１）×（２Ｎ＋１）個の表示領域を選定し、（Ａ）前記生成された未完成漢字を前記表示領域の（Ｎ＋１）行及び（Ｎ＋１）列で選定される表示領域の中央表示領域に表示し、（Ｂ）前記生成された１つ以上の第１漢字を前記中央表示領域以外のその他の表示領域に１つずつ表示する表示部と（前記Ｎは正の整数）、
前記表示された第１漢字を閲覧したユーザが、前記選択ボタンを用いて前記表示された第１漢字のうちのいずれか１つの第１漢字を選択する選択信号を入力した場合、前記選択された第１漢字を前記ユーザが入力した文字として決定する検証部と、を含み、
前記未完成漢字は、前記第１漢字よりも１つ以上画が少ない漢字を意味することを特徴とする文字入力装置。
【請求項２】
前記漢字生成部は、前記感知部で新しい移動方向を感知することに対応して、前記未完成漢字及び前記第１漢字をリアルタイムで更新し、
前記表示部は、前記更新された漢字及び前記更新された第１漢字をリアルタイムで表示することを特徴とする請求項１に記載の文字入力装置。
【請求項３】
文字入力装置であって、
スティックと、
選択信号を入力するための選択ボタンと、
前記スティックの移動方向にそれぞれ対応する複数の文字構成単位を含む第１テーブル及び１つ以上の文字構成単位の配列に対応する文字を含む第２テーブルとを保存する保存部と、
前記スティックの中心点を基準として前記スティックの移動方向を感知する感知部と、
前記第１テーブルを参照して前記感知された移動方向に対応する文字構成単位を検索する検索部と、
前記選択信号が入力された後、それぞれ検索された１つ以上の文字構成単位を配列し、前記第２テーブルを参照して前記配列にそれぞれ対応する１つ以上の文字を用いて１つ以上の文字組み合わせを生成する文字生成部と、
所定のディスプレイ部上にＮ個の行とＮ個の列で構成されるＮ×Ｍ個の表示領域を選定し、前記生成された１つ以上の文字組み合わせをそれぞれ前記表示領域に１つずつ表示する表示部（前記Ｎ及びＭは１以上の自然数である）と、
前記表示された文字組み合わせを閲覧したユーザが、前記選択ボタンを用いて前記表示された文字組み合わせのうちいずれか１つの文字組み合わせを選択する選択信号を入力した場合、前記選択された文字組み合わせを前記ユーザが入力した文字として決定する検証部と、を含むことを特徴とする文字入力装置。
【請求項４】
前記Ｎ及び前記Ｍが、３であることを特徴とする請求項３に記載の文字入力装置。
【請求項５】
前記選択ボタンは、上、下、左、右方向にそれぞれ対応する４個の方向ボタンを含み、
前記ユーザが前記４個の方向ボタンを押した場合、前記ディスプレイ部上のカーソルが決められた方向に移動するように制御し、前記Ｍ×Ｎ個の表示領域に該当する文字組み合わせをすべて選択可能にすることを特徴とする請求項３に記載の文字入力装置。
【請求項６】
前記１つ以上の文字構成単位の配列によって生成される前記文字組み合わせは、ハングル文字の場合には音節単位、字素単位、又は単語単位のうちのいずれか１つを基準として生成されることを特徴とする請求項３に記載の文字入力装置。
【請求項７】
前記スティックは、力が加えられていない状態では、前記スティックの中心点に自動復元することを特徴とする請求項１又は３に記載の文字入力装置。
【請求項８】
スティック及び選択ボタンを備えた文字入力装置における漢字入力方法であって、
前記スティックの移動方向にそれぞれ対応する複数の漢字構成単位を含む第１テーブル及び１つ以上の漢字構成単位の配列に対応する漢字を含む第２テーブルとを保存する段階と、
所定のディスプレイ部上に（２Ｎ＋１）個の行と（２Ｎ＋１）個の列で構成されるＮ×Ｎ個の表示領域を選定する段階（前記Ｎは正の整数である）と、
ユーザが前記スティックを動かす場合に、前記スティックの中心点を基準として前記スティックの移動方向を感知する第１段階と、
前記第１テーブルを参照して前記感知された移動方向に対応する文字構成単位を検索する第２段階と、
前記第１テーブルを参照して前記感知された移動方向に対応する漢字構成単位を検索する第３段階と、
現在時点までに検索された漢字構成単位を配列する第４段階と、
前記第２テーブルを参照して前記配列された漢字構成単位に対応する未完成漢字を生成する第５段階と、
前記第２テーブルを参照して前記配列された漢字構成単位に１つ以上の漢字構成単位を追加で配列することで生成される１つ以上の第１漢字を生成する第６段階と、
前記生成された未完成漢字を前記表示領域のうち（Ｎ＋１）行および（Ｎ＋１）列で選定される表示領域の中央表示領域に表示する第７段階と、
前記生成された１つ以上の第１漢字を前記中央表示領域開のその他の表示領域に１つずつ表示する第８段階と、
前記表示された第１漢字を閲覧したユーザが、前記選択ボタンを用いて前記表示された第１漢字のうちいずれか１つの第１漢字を選択する選択信号を入力した場合、前記選択された第１漢字を前記ユーザが入力した文字として決定する段階と、を含み、
前記第１から８段階は、前記選択信号が入力されるまで反復的に実行され、前記未完成漢字は、前記第１漢字よりも１つ以上画不足な漢字を意味することを特徴とする漢字入力方法。
【請求項９】
スティック及び選択ボタンを備えた文字入力装置における文字入力方法であって、
所定の保存空間に前記スティックの移動方向にそれぞれ対応する複数の文字構成単位を含む第１テーブル及び１つ以上の文字構成単位の配列に対応する文字を含む第２テーブルを保存する段階と、
前記スティックの中心点を基準として前記スティックの移動方向を感知する段階と、
前記第１テーブルを参照して前記感知された移動方向に対応する文字構成単位を検索する段階と、
ユーザから前記選択ボタンを用いた選択信号が入力された後、それぞれ検索された１つ以上の文字構成単位を配列する段階と、
前記第２テーブルを参照して前記配列にそれぞれ対応する１つ以上の文字を用いて１つ以上の文字組み合わせを生成する段階と、
所定のディスプレイ部上にＮ個の行とＮ個の列で構成されるＮ×Ｍ個の表示領域を選定する段階（前記Ｎ及びＭは２以上の自然数である）と、
前記生成された１つ以上の文字組み合わせをそれぞれ前記表示領域に１つずつ表示する段階と、
前記表示された文字組み合わせを閲覧したユーザが、前記選択ボタンを用いて前記表示された文字組み合わせのうちいずれか１つの文字組み合わせを選択する選択信号を入力した場合、前記選択された文字組み合わせを前記ユーザが入力した文字として決定する段階と、を含むことを特徴とする文字入力方法。
【請求項１０】
請求項８又は９に記載の文字入力方法を実行させるためのプログラムを記録したコンピュータ読み取り可能な記録媒体。
【発明の詳細な説明】
【技術分野】
【０００１】
本発明は、スティックと選択ボタンを備えた文字入力装置及びこれを用いた文字入力方法に関し、より詳細には、ユーザがペンで文字を書く際の書き順と類似した移動方向にスティックを順次に移動させることで、所望する文字入力を可能にする文字入力装置及びその方法に関する。
【背景技術】
【０００２】
従来技術に係る文字入力装置として、キーボード、キーパッドのように特定のキーボタンを押すことで該当の文字入力が可能となる文字入力装置がある。しかし、このような文字入力装置では、特定の文字を入力する場合、どのキーボタンを押せば良いのかなどの入力規則をユーザが記憶する必要があるという不便さがあった。また、各キーボタンにキーボタンを押したときに入力される文字を表示しておくことによって入力規則を記憶する必要が省かれる場合には、文字入力速度が低下してしまう。さらに、１つのキーボタンで多数の文字を入力すべき場合、すなわち、モード別に所定のキーボタンが「ａ」、「ロ」、「ち」をそれぞれ入力するために用いられる場合には、キーボタンの面積制限により、キーボタンに各モードの文字をすべて表示し難いという問題があった。
【０００３】
また、従来技術に係るさらに他の文字入力装置として、モニタや特定のプレートに接触した場合に、これを感知して文字が入力されるようにするペンマウスがある。ペンマウスは、ユーザが実際に文字を書くようにして文字を入力でき、ユーザが入力規則を記憶する必要がないという点において、現在では一部ＰＤＡ（パネル  デジタル  アシスト）装置などの入力装置で広く用いられている。しかし、ペンマウスは、ＰＤＡなど文字を入力しようとする装置と別途の装置で製作されなければならないため、ユーザがペンマウスを一定の保管空間から取り出して特定モードのＰＤＡ画面に押し当てて書かなければならず、紛失の恐れも高いため、ペンマウスのみを用いる場合よりはキーボードやキーパッドなどとともに付随的に用いられているという限界があった。これは、不透明なプレートに透過した反射光を利用して文字を入力するペン形態の光マウスや、内蔵されたジャイロ又は加速度計を利用して空間上の姿勢変化を感知することで文字を入力するジャイロマウスに対しても同様である。
【０００４】
特に、このような文字入力装置は、キーボードなどに比べて製作単価が極めて高い。市場において、ペンマウスは数十万〜数百万ウォン、ジャイロマウスは数十万ウォン以上で販売されるなど、コスト面において一般ユーザが広く用いるには不適切であるという問題があった。
【発明の開示】
【発明が解決しようとする課題】
【０００５】
本発明は、このような従来技術の問題点を解決するために案出されたものであって、スティックと１つ又は複数のボタンを含む選択ボタンのみを用いて、ユーザが入力規則を記憶しなくても直観的な文字の入力が可能な文字入力装置及びこれを用いた文字入力方法を提供することを目的とする。
【０００６】
また、本発明は、スティックと選択ボタンが占める面積のみを用いるため、多数の文字キーまたはキーボタンを備えていた従来技術に比べて小さな空間に設置できる文字入力装置を提供することを目的とする。
【０００７】
また、本発明は、韓国語だけではなく各国の言語もペンで書き順に従って文字を入力できる文字入力装置及びこれを用いた文字入力方法を提供することを目的とする。
【０００８】
また、本発明は多くの画で構成される漢字を、ユーザがペンで文字を書くような書き順に従って自然に入力できるとともに、該当する漢字のすべての画を入力せずに簡単な選択命令を行なうだけでも漢字の入力が可能となる文字入力装置及びこれを用いた文字入力方法を提供することを目的とする。
【０００９】
また、本発明は、文字入力過程において、ディスプレイ部上にＮ個の行とＭ個の列で構成されるＮ×Ｍ個の表示領域をそれぞれ指定し、表示領域上に生成された文字をディスプレイすることで、ユーザが文字を簡単に認識及び選択できるようにするユーザインターフェイスを提供することを目的とする。
【００１０】
また、本発明は、人ごとに特定の文字を入力するための書き順が異なる場合でも、自分が選好する書き順に従ってスティックを移動させて文字を入力できる文字入力装置及び文字入力装置における文字入力方法を提供することを目的とする。
【００１１】
また、本発明は、製作単価が低廉であり、ユーザに広く普及できる文字入力装置を提供することを目的とする。
【課題を解決するための手段】
【００１２】
前記の目的を達成し、上述した従来技術の問題点を解決するために、本発明の文字入力装置は、スティックと、選択信号を入力するための選択ボタンと、スティックの移動方向にそれぞれ対応する複数の漢字構成単位を含む第１テーブル及び１つ以上の漢字構成単位の配列に対応する漢字を含む第２テーブルを保存する保存部と、スティックの中心点を基準としてスティックの移動方向を感知する感知部と、第１テーブルを参照して感知された移動方向に対応する漢字構成単位を検索する検索部と、（１）現在時点までに検索された漢字構成単位を配列し、第２テーブルを参照して配列された漢字構成単位に対応する未完成漢字を生成し、（２）第２テーブルを参照して配列された漢字構成単位に１つ以上の漢字構成単位を追加で配列することで生成される１つ以上の第１漢字を生成する漢字生成部と、所定のディスプレイ部上に（２Ｎ＋１）個の行と（２Ｎ＋１）個の列で構成される（２Ｎ＋１）×（２Ｎ＋１）個の表示領域を選定し、（Ａ）生成された未完成漢字を表示領域内で（Ｎ＋１）行及び（Ｎ＋１）列に選定される表示領域の中央表示領域に表示し、（Ｂ）生成された１つ以上の第１漢字を中央表示領域以外のその他の表示領域に１つずつ表示する表示部（Ｎは正の整数である）と、表示された第１漢字を閲覧したユーザが、選択ボタンを用いて表示された第１漢字のうちのいずれか１つの第１漢字を選択する選択信号を入力した場合に、選択された第１漢字をユーザが入力した文字として決定する検証部とを含み、上記未完成漢字が、第１漢字よりも１つ以上画不足な漢字を意味することを特徴とする。
【００１３】
また、本発明に係る漢字入力方法は、スティックおよび選択ボタンを備え、スティックの移動方向にそれぞれ対応する複数の漢字構成単位を含む第１テーブル及び１つ以上の漢字構成単位の配列に対応する漢字を含む第２テーブルとを保存する段階と、所定のディスプレイ部上に（２Ｎ＋１）個の行と（２Ｎ＋１）個の列で構成されるＮ×Ｎ個の表示領域を選定する段階（Ｎは正数である）と、ユーザがスティックを動かす場合に、スティックの中心点を基準としてスティックの移動方向を感知する第１段階と、第１テーブルを参照して感知された移動方向に対応する文字構成単位を検索する第２段階と、第１テーブルを参照して感知された移動方向に対応する漢字構成単位を検索する第３段階と、現在時点まで検索された漢字構成単位を配列する第４段階と、第２テーブルを参照して配列された漢字構成単位に対応する未完成漢字を生成する第５段階と、第２テーブルを参照して配列された漢字構成単位に１つ以上の漢字構成単位を追加で配列することで生成される１つ以上の第１漢字を生成する第６段階と、生成された未完成漢字を表示領域中の（Ｎ＋１）行及び（Ｎ＋１）列で選定される表示領域の中央表示領域に表示する第７段階と、生成された１つ以上の第１漢字を中央表示領域以外のその他の表示領域に１つずつ表示する第８段階と、表示された第１漢字を閲覧したユーザが選択ボタンを用いて表示された第１漢字のうちのいずれか１つの第１漢字を選択する選択信号を入力した場合に、選択された第１漢字をユーザが入力した文字として決定する段階とを含み、上記第１から８段階が、選択信号が入力されるまで反復的に実行され、上記未完成漢字が、第１漢字よりも１つ以上画不足な漢字を意味することを特徴とする。
【発明の効果】
【００１４】
本発明によれば、スティックと１つ又は複数のボタンを含む選択ボタンのみを用いることで、ユーザが入力規則を覚える必要がなく、直観的な文字の入力が可能な文字入力装置及び文字入力装置における文字入力方法を提供することができる。
【００１５】
また、本発明によれば、スティックと選択ボタンが占める面積分のスペースのみを用いるため、多数の文字のキー又はキーボタンを備える従来技術に比べて小さな空間に設置できる文字入力装置を提供することができる。したがって、本発明に係る文字入力装置は、カメラ、ゲーム機、携帯電話、ＭＰ３プレーヤーなど大きさに制限がある機器に適用することができる。
【００１６】
また、本発明によれば、韓国語だけではなく、各国の言語もペンで字を書くような書き順に従って自然に入力できる文字入力装置及びこれを用いた文字入力方法を提供することができる。
【００１７】
また、本発明によれば、多くの画で構成される漢字を、ユーザがペンで字を書くような書き順に従って自然に入力できるとともに、該当する漢字のすべての画を入力せずに簡単な選択命令を行なうだけでも漢字の入力が可能となる文字入力装置及びこれを用いた文字入力方法を提供することができる。
【００１８】
また、本発明によれば、文字入力過程において、ディスプレイ部上にＮ個の行とＭ個の列で指定されるＮ×Ｍ個の表示領域をそれぞれ指定して表示領域上に生成された文字をディスプレイすることによって、ユーザが容易に文字を認識及び選択できるようにするユーザインターフェイスが提供される。
【００１９】
また、本発明によれば、人ごとに特定する文字を入力するための書き順が異なる場合にも、自分が選好する書き順に従ってスティックを移動させることで文字の入力が可能となる文字入力装置及びこれを用いた文字入力方法が提供される。
【００２０】
また、本発明によれば、製作単価が低廉であり、ユーザに低価で広く普及することができる文字入力装置が提供される。
【発明を実施するための最良の形態】
【００２１】
以下、添付の図面を参照して、本発明を詳しく説明する。
【００２２】
本発明に係る文字入力装置は、スティックと、選択ボタンと、保存部と、検索部と、文字生成部と、表示部と、検証部とを含む。図１（ａ）は、文字入力装置を構成する一構成要素であるスティック１０１と選択ボタン１０２を例示した図であり、図１（ｂ）は、その他の構成要素を示したブロック図である。
【００２３】
以下、図１及び図２を参照して、本発明の一実施形態に係る文字入力装置を用いた文字入力過程について具体的に説明する。
【００２４】
段階２０１で、保存部１０３は、第１テーブル及び第２テーブルを保存する。
【００２５】
第１テーブルは、スティックの各移動方向と、各移動方向にそれぞれ対応する文字構成単位とを含む。図３は、文字入力装置を用いて入力しようとする文字が「韓国語」である場合における第１テーブルの一例を示した図である。図３に示すように、ユーザがスティック１０１を握って右側方向に移動させる場合（図面符号３０１）に、移動方向に対応する文字構成単位は「―」であり、ユーザがスティック１０１を握って３６０度回転させる場合（図面符号３０２）、移動方向に対応する文字構成単位は「
2008533626.tif 000003
」であることを知ることができる。また、図面符号３０３で示すように、同じ移動方向に対応する文字構成単位は１つ以上であってもよい。
【００２６】
また、第２テーブルは、１つ以上の文字構成単位の配列に対応する文字を含む。図４は、字素単位の文字を入力する場合の文字構成単位の配列と、配列に対応する文字を含む第２テーブルを例示する。図４に示すように、「
2008533626.tif 000004
」という文字は「
2008533626.tif 000005
」と「
2008533626.tif 000006
」という文字構成単位の配列に対応する。さらに、図４に示すように、「
2008533626.tif 000007
」という文字は「
2008533626.tif 000008
」および「
2008533626.tif 000009
」という文字の組み合わせで生成される。
【００２７】
段階２０２で、ユーザがスティックを動かすと、段階２０３で、感知部１０４はスティック１０１の移動方向を感知する。例えば、スティック１０１の最上端の座標を、中心点１０１ａを含む平面座標に位相させる場合、感知部１０４は、該位相された座標の移動を感知する方式でスティック１０１の移動方向を感知できる。
【００２８】
例えば、ユーザがスティック１０１を握ったまま右側に移動させた後、続いて下側に移動させる場合、感知部１０４は、その移動方向が図３の図面符号３０４と同一であると感知する。本発明に係るスティック１０１は自体的な復元力を有しており、ユーザがスティック１０１を離せば、すなわち、力が加えられていない状態では、本来の位置に戻り、位相された座標は、中心点１０１ａに自動的に移動するようになる。
【００２９】
段階２０４で、検索部１０５は、第１テーブルを参照して感知された移動方向に対応する文字構成単位を検索する。図３に示すように、図面符号３０４の移動方向が感知された場合、検索部１０５は、文字構成単位「
2008533626.tif 000010
」または「
2008533626.tif 000011
」を検索する。
【００３０】
再びユーザが中心点１０１ａに復元したスティック１０１を握って下側に移動させれば、感知部１０４は、図３の図面符号３０５のような移動方向を感知する。
【００３１】
また、検索部１０５は、第１テーブルを参照して感知された移動方向に対応する文字構成単位である「
2008533626.tif 000012
」を検索する。
【００３２】
同様に、ユーザが中心点１０１ａに復元したスティック１０１を握って右側に移動させることで、文字構成単位「
2008533626.tif 000013
」が検索されるようになる。
【００３３】
段階２０３及び段階２０４は、ユーザから別途の選択信号が入力されるまで繰り返される。ユーザは、選択ボタン１０２を押して選択信号を入力できる。選択信号は、ユーザが所望する一単位の文字の入力が完了したことを示す信号であり、本実施形態では、単位は、音節単位、字素単位、単語単位などが用いられる。すなわち、字素単位が用いられる場合には、ユーザは母音１つ（例えば「
2008533626.tif 000014
」）を入力した後に選択信号を入力するようになる。また、音節単位が用いられる場合には、ユーザは音節１つ（例えば「
2008533626.tif 000015
」）を入力した後に選択信号を入力するようになる。
【００３４】
文字構成単位である「
2008533626.tif 000016
」（または「
2008533626.tif 000017
」）、「
2008533626.tif 000018
」および「
2008533626.tif 000019
」が検索された後、ユーザから選択信号が入力されれば、文字生成部１０６は、選択信号が入力される前に検索された文字構成単位を配列して文字組み合わせを生成する（段階２０５及び段階２０６）。
【００３５】
文字生成部１０６は、検索された文字構成単位を「
2008533626.tif 000020
」（第１配列）のように配列したり、「
2008533626.tif 000021
」（第２配列）のように配列する。また、文字生成部１０６は、第２テーブルを参照して第１配列又は第２配列に対応する文字組み合わせを生成する。
【００３６】
第１配列に対応する文字組み合わせは、文字「
2008533626.tif 000022
」と「
2008533626.tif 000023
」とが組み合った「
2008533626.tif 000024
」であったり、文字「
2008533626.tif 000025
」と「
2008533626.tif 000026
」が組み合った「
2008533626.tif 000027
」であったりする。すなわち、文字組み合わせは、配列にそれぞれ対応する１つ以上の文字を用いて生成される。文字生成部１０６は、検索された文字構成単位を配列した結果、対応する文字組み合わせがない場合には、ユーザによるスティック１０１の動きの不適合あるいは感知部１０４の感知エラーであると見なし、配列を無視するように処理する。すなわち、第２配列に対応する文字組み合わせは存在しないため、文字生成部１０６は第２配列に対してこれ以上の処理を行わない。
【００３７】
段階２０７で、表示部１０７は、このように生成された文字組み合わせを所定のディスプレイ部（図示せず）に表示する。
【００３８】
検証部１０８は、表示された文字組み合わせに対して、再び選択信号が入力された場合に、選択された文字組み合わせをユーザが入力した文字として決定する（段階２０８及び段階２０９）。ユーザは、選択ボタン１０２を用いて選択信号を入力できる。すなわち、ユーザは、一単位の文字入力が終了したことを知らせるために段階２０５における選択信号を入力し、文字入力の結果として表示された文字組み合わせが自分の所望する文字である場合には、これを知らせるために段階２０８における選択信号を入力する。
【００３９】
すなわち、ユーザは、表示部１０７がディスプレイ部に表示した文字組み合わせを確認した結果、自分が入力しようとした内容と適合する場合には選択ボタン１０２を押し、文字組み合わせが入力されるようにする。
【００４０】
一方、文字生成部１０６で生成された文字組み合わせが複数である場合、表示部１０７は、複数の文字組み合わせをそれぞれ表示する。検証部１０８は、表示された文字組み合わせのうちのいずれか１つの文字組み合わせを特定する選択信号が入力された場合、選択された文字組み合わせをユーザが入力した文字として決定する。
【００４１】
本発明のさらに他の実施形態によれば、選択ボタン１０２は複数の方向ボタンを備える。すなわち、図１に示すように、方向ボタン１０２ａから１０２ｄを備えることができる。表示部１０７は、複数の文字組み合わせを各方向ボタンと連関させて表示できる。
【００４２】
図５は、表示部１０７に複数の文字組み合わせを方向ボタンと連関させて表示した場合を示している。すなわち、表示部１０７は、「
2008533626.tif 000028
」という文字組み合わせと「
2008533626.tif 000029
」という図形を関連付けてディスプレイ画面に表示することで（図面符号５０１参照）、図１（ａ）に示した方向ボタン１０２ｄと文字組み合わせ「
2008533626.tif 000030
」を連関させている。また、表示部１０７は、「
2008533626.tif 000031
」という文字組み合わせと「
2008533626.tif 000032
」という図形を関連付けて表示することで（図面符号５０２参照）、図１（ａ）に示した方向ボタン１０２ａと文字組み合わせ「
2008533626.tif 000033
」を連関させている。
【００４３】
このように、本発明に係る文字入力装置１００は、各文字組み合わせを方向ボタンと連関させて表示するため、ユーザはディスプレイ部に表示された複数の文字組み合わせのうちのいずれか１つを選択するために、選択ボタン１０２のうちのどの方向ボタンを押せばよいのかを容易に認知できる。すなわち、ユーザは、入力しようとした文字が「
2008533626.tif 000034
」である場合には方向ボタン１０２ｄを押せばよく、「
2008533626.tif 000035
」を選択しようとする場合には方向ボタン１０２ａを押せばよい。
【００４４】
また、文字入力装置１００は、選択ボタン１０２の特定方向ボタンを「後退（Ｂａｃｋ  Ｓｐａｃｅ）」または「削除（Ｄｅｌｅｔｅ）」キーとして用いることができる。例えば、選択ボタン１０２の方向ボタン１０２ｃを後退キーとして用いる場合、ユーザが方向ボタン１０２ｃを押すと、表示部１０７はディスプレイ部に表示された文字組み合わせを削除し、これ以上表示されないようにできる。また、後退キーで削除される単位は、文字組み合わせより小さく設定し、ディスプレイ部に表示された文字組み合わせに含まれる１つの文字、又は文字組み合わせに含まれる１つの文字構成単位のみが削除されるようにできる。文字生成部１０６は、後退キーによって削除された文字構成単位、文字又は文字組み合わせに対しては、始めから入力されなかったものとして見なす。また、選択ボタン１０２の方向ボタン１０２ｃは、特定モードでのみ後退キーの機能を行い、その他のモードではそれ以外の方向ボタンと同じような選択機能を行うこともできる。
【００４５】
一方、上述した実施形態では「字素単位」で文字を入力する場合を説明したが、以下では「単語単位」で文字を入力する場合をさらに説明する。
【００４６】
例えば、ユーザが単語「
2008533626.tif 000036
」を入力するために、スティック１０１を順次に、図３の移動方向３０４→移動方向３０５→移動方向３０１→移動方向３０１→移動方向３０７→移動方向３０５→移動方向３０１のように移動させた後に選択ボタン１０２を押して、所望する単語の入力が完了したことを知らせる。
【００４７】
感知部１０４は、このようなスティック１０１の移動を感知し、検索部１０５は、図３に示した第１テーブルを参照して感知された各移動方向に対応する文字構成単位をそれぞれ検索する。また、文字生成部１０６は、図４に示すような第２テーブルを参照して、このように検索された文字構成単位を配列して文字組み合わせを生成する。
【００４８】
すなわち、このようにスティック１０１を移動させた場合、図３及び図４に示すように、文字生成部１０６は「
2008533626.tif 000037
」（第３配列）又は「
2008533626.tif 000038
」（第４配列）を配列するようになる。
【００４９】
第３配列で生成される一単位の文字組み合わせ、すなわち、一単語は「
2008533626.tif 000039
」、「
2008533626.tif 000040
」、「
2008533626.tif 000041
」及び「
2008533626.tif 000042
」である。第４配列で生成される文字組み合わせはないため、上述したように、文字生成部１０６は、第４配列に対してはこれ以上考慮しない。
【００５０】
表示部１０７は、生成された文字組み合わせを文字入力装置１００又は文字入力装置１００と連結したディスプレイ部に表示する。図６は、表示部１０７がディスプレイ部に最大で９つまでの文字組み合わせを表示できるように、９つの表示欄を具現する場合を例示している。文字生成部１０６が生成した文字組み合わせは４つであるため、残り５つの表示欄には文字組み合わせが表示されない。
【００５１】
一方、図６では、表示部１０７が３行×３列の９個の表示領域を選定した場合を例示しているが、表示部１０７はＮ個の行とＭ個の列で構成されるＮ×Ｍ個の表示領域を選定することができる。このとき、ＮとＭは１以上の正数である。
【００５２】
ユーザは方向ボタン１０２ｄを選択して、入力しようとした単語である「
2008533626.tif 000043
」を選択できる。また、本実施形態では、方向ボタン１０２ｂ→方向ボタン１０２ａを順次に押して「
2008533626.tif 000044
」を選択するなど、方向ボタン１０２ａなどを順次に移動させて所望する文字組み合わせを選択することもできる。
【００５３】
また、ユーザが入力しようとした単語が「
2008533626.tif 000045
」であれば、ユーザは、選択ボタン１０２のうちの図１に示した選択ボタン１０２ｅ（中央ボタン）を押して「
2008533626.tif 000046
」を入力することもできる。
【００５４】
一方、文字生成部１０６が生成した文字組み合わせが５つ以内であれば、表示部１０７は、方向ボタンを２回押す必要のある表示欄６０１などよりは、選択ボタン１０２ｅ又は方向ボタン１０２ａから１０２ｄのいずれか１つを１回だけ押せばよい表示欄６０２、６０３などに生成された文字組み合わせを表示することで、ユーザ便宜を図ることができる。
【００５５】
また、確率は非常に低いが、文字生成部１０６が生成した文字組み合わせが９つを超過し、図６に示した９つの表示欄にすべての文字組み合わせが生成（表示）されない場合には、方向ボタン１０２ｄを２回連続して押すことで「次ページ」の９つの表示欄が表示されるようにする方法により、ユーザが所望する文字組み合わせを選択できるようにもする。
【００５６】
以下、本発明のさらに他の実施形態により、感知部１０４がスティック１０１の移動方向を感知する方法について、さらに具体的に説明する。
【００５７】
感知部１０４は、スティック１０１の中心点１０１ａを中心として、スティック１０１が移動可能な領域を角度によって複数の単位領域に細分化する。例えば、感知部１０４は、図７の図面符号７０１で示すように、移動可能な領域を８等分して単位領域１から８に区分できる。
【００５８】
スティック１０１が単位領域４を通過した場合、感知部１０４は、スティック１０１が図３の図面符号３０６で示すような移動方向に移動したものと感知する。すなわち、ユーザが「
2008533626.tif 000047
」という文字構成単位を入力したものと見なす。
【００５９】
また、スティック１０１が単位領域３と単位領域４を順次通過した場合、感知部１０４は、スティック１０１が図３の図面符号３０４で示すような移動方向で移動したものと感知する。すなわち、ユーザが「
2008533626.tif 000048
」または「
2008533626.tif 000049
」という文字構成単位を入力したものと見なす。
【００６０】
また、本発明のさらに他の実施形態によれば、文字入力装置１００は、スティックの移動方向だけではなく、スティックの移動距離も考慮した上で、ユーザが入力しようとする文字を解読する。以下、スティックの移動方向及び移動距離を考慮して、ユーザから入力された文字を解読する過程について具体的に説明する。
【００６１】
本実施形態に係る文字入力装置１００の保存部１０３は、第１テーブル及び第２テーブルを保存する。
【００６２】
第１テーブルは、スティックの移動方向及びスティックの移動距離とそれぞれ対応する文字構成単位を含む。図８は、文字入力装置１００を用いて入力しようとする文字が「韓国語」である場合の第１テーブルの一例を示した図である。図８のスティックの移動距離は、スティック１０１の中心点１０１ａを中心としてどれ程遠くに離れるかを示すためのものである。第１テーブルにおいて「移動距離」の具体的な意味については、図９を参照して後述する。
【００６３】
なお、第２テーブルは、上述した実施形態における第２テーブルと同一であるため、これについての具体的な説明は省略する。
【００６４】
また、前記第２テーブルは上述した実施形態での第２テーブルと同様であるので具体的な説明は略する。
【００６５】
また、感知部１０４は、スティック１０１の移動方向及び移動距離を感知する。
【００６６】
感知部１０４は、図７を用いて説明した方式で、スティック１０１の移動方向を感知できる。すなわち、感知部１０４は、スティック１０１が移動可能な領域を「角度によって」複数の単位領域に細分化した後、スティック１０１が各単位領域のうちのどこを順次に移動するのかを感知することで、スティック１０１の移動方向を感知する。
【００６７】
また、感知部１０４は、スティック１０１が移動可能な領域を「距離によって」複数の単位領域に細分化した後、スティック１０１が各単位領域のうちどこを順次に移動するのかを感知することで、スティック１０１の移動距離を感知する。
【００６８】
例えば、図９の図面符号９０１で示すように、感知部１０４は、スティック１０１が移動可能な領域を距離によって４等分し、単位領域ａからｄで区分する。図８及び図９に示すように、感知部１０４は、移動方向と移動距離との対が単位領域３、ａ→単位領域３、ｂ→単位領域３、ｃ→単位領域４、ｃ→単位領域４、ｄである場合、ユーザが図９の図面符号９０２のようにスティック１０１を動かしたものとして感知する。
【００６９】
また、スティック１０１は自体的な復元力を有しており、ユーザがスティック１０１を離せば、すなわち、力が加えられていない状態では、本来の位置に戻り、位相された座標は、中心点１０１ａに自動的に移動する。
【００７０】
また、検索部１０５は、第１テーブルを参照して感知されたスティック１０１の動きに対応する文字構成単位を検索する。図９に示すように、動きが感知された場合、検索部１０５は、文字構成単位「
2008533626.tif 000050
」または「
2008533626.tif 000051
」を検索する。
【００７１】
このように、本発明に係る文字入力装置１００は、スティック１０１の移動方向だけではなく、移動距離もともに感知することでユーザが入力した文字を判断するため、ユーザの意図に適合した文字をより正確に決定できるようになる。
【００７２】
スティック１０１の移動方向及び移動距離をすべて感知し、ユーザが入力しようとした文字構成単位が検索された後の、文字構成単位を用いて文字を入力する残りの過程は上述した実施形態と同様である。ここでの説明は省略する。
【００７３】
このように、ユーザは、文字入力装置１００のスティック１０１と選択ボタン１０２のみでも所望する文字をすべて入力できるため、従来技術に係るキーボードやキーパッドのような文字入力装置とは異なり、多数の文字盤を備える必要がないため小型で製作でき、空間活用度が高く、製作原価も低廉となる。したがって、文字入力装置１００は、カメラ、ゲーム機、携帯電話、ＭＰ３プレーヤーなど入力装置のサイズに制限がある機器に用いることができる。
【００７４】
また、本発明に係る文字入力装置１００は、基本的にスティック１０１を用いて文字を入力するようにし、文字を入力するためのスティック１０１の移動方向を、手記で文字を書く場合の書き順と密接に連関するように第１テーブル及び第２テーブルを設定するため、ユーザはキーボードやキーパッドを用いた文字入力の場合とは異なり、特定の文字を入力するために特定の文字に対応する文字盤を記憶したり特定の文字を入力するための規則（例えば、天地人方式入力規則またはＥＺハングル方式入力規則など）を記憶したりする必要がなく、実際に手記で文字を書くようにスティック１０１を移動させればよいため、容易に使用することができる長点がある。
【００７５】
また、上述した実施形態では、韓国語を入力する場合を例として説明したが、これは例示的なことに過ぎず、本発明のさらに他の実施形態に係る文字入力装置１００は、韓国語だけではなく英語や日本語など多様な外国語を入力するための文字入力装置として用いることができる。本実施形態に係る文字入力装置１００において、保存部１０３は、第１テーブル及び第２テーブルを言語モード別にそれぞれ保存する。
【００７６】
表示部１０７は、図１０の図面符号１００１のように現在アクティブとなっている言語モードを表示し、ユーザが現在アクティブとなっている言語モードとは異なる言語モードで文字を入力しようとする場合には、他の言語モードを選択して言語モードを変更する。
【００７７】
例えば、保存部１０３は、韓国語モードと連関して図３に示すような第１テーブル及び図４に示すような第２テーブルを保存するし、日本語モードと連関して図１１（ａ）に示すような第１テーブル及び図１１（ｂ）に示すような第２テーブルとをそれぞれ保存する。
【００７８】
現在アクティブとなっている言語モードが日本語モードであり、感知部１０４がスティック１０１の図面符号１１０１の移動方向→図面符号１１０２の移動方向に順次に動いたことを感知した場合、検索部１０５は、図１１（ａ）に示すような第１テーブルを参照して、移動方向にそれぞれ対応する文字構成単位１１０３及び文字構成単位１１０４を検索する。また、文字生成部１０６は、図１１（ｂ）に示すような第２テーブルを参照して、検索された文字構成単位１１０３及び文字構成単位１１０４に対応する文字組み合わせ１１０５である「よ」を生成する。
【００７９】
このような過程を通じて、ユーザは、日本語「よ」を手記で書く際と類似してスティック１０１を動かすことで、所望する日本語文字である「よ」の入力が可能となる。
【００８０】
以上、日本語入力過程について例を挙げて説明したが、文字入力装置１００は、言語モード別に第１テーブル及び第２テーブルを備え、感知部１０４で感知されるスティック１０１の移動方向又は移動距離を考慮してユーザが入力しようとした画（ストローク）を判断する方式で、多数の言語を入力するための文字入力装置に用いることが可能である。
【００８１】
また、本発明のさらに他の実施形態によれば、文字入力装置１００の保存部１０３に保存される第２テーブルは、文字の構成単位の配列に対応する文字組み合わせを複数含むことができる。例えば、図４に示した第２テーブルは、文字「
2008533626.tif 000052
」に対応する文字構成単位の配列として「
2008533626.tif 000053
」を含んでいるが、文字「
2008533626.tif 000054
」に対応する文字構成単位の配列として「
2008533626.tif 000055
」をさらに含むこともできる。
【００８２】
すなわち、ユーザは、図３に示すように、移動方向３０１→移動方向３０７のように順次にスティック１０１を移動させる場合にも「
2008533626.tif 000056
」という文字を入力できるし、移動方向３０１→移動方向３０５→移動方向３０１のように順次にスティック１０１を移動させる場合にも「
2008533626.tif 000057
」という文字を入力できる。
【００８３】
各文字の画入力順は、各国の言語別に規定されているものが一般的であるが、正確な画入力順でなくても人によって多数の画入力順が異なることがある。したがって、ユーザの便宜のために、本発明に係る文字入力装置１００は、正確な画入力順に適合する文字構成要素の配列だけではなく、人によって用いられる多数の画入力順に対応する１つ以上の文字構成要素の配列をさらに用いることもできる。
【００８４】
また、各文字入力装置１００を用いる各ユーザが文字を書く習慣に最適な文字入力サービスを提供するため、文字入力装置１００は、各文字に対応する文字構成要素の配列を各ユーザ自身が入力できるように構成できる。
【００８５】
以下、本発明のさらに他の実施形態に係る文字入力装置１００について説明する。本実施形態の文字入力装置１００は、漢字を入力する場合に、他の文字とは区別された漢字入力方式を追加的に提供する。
【００８６】
図１２は、本実施形態に係る文字入力装置１００における漢字入力過程を示した図である。
【００８７】
段階１２０１で、文字入力装置１００は、所定の保存空間にスティック１０１の移動方向にそれぞれ対応する複数の漢字構成単位を含む第１テーブル及び１つ以上の漢字構成単位の配列に対応する漢字を含む第２テーブルを保存する。
【００８８】
例えば、文字入力装置１００は、図１３（ａ）に示すような第１テーブルを維持する。すなわち、スティック１０１の右方向移動は漢字構成単位１３０１に対応し、スティック１０１の下方向移動は漢字構成単位１３０２に対応する。また、スティック１０１の左下方向移動は漢字構成単位１３０３に対応し、スティック１０１の右下方向移動は漢字構成単位１３０４に対応する第１テーブルを維持する。
【００８９】
また、文字入力装置１００は、図１３（ｂ）に示すような第２テーブルを維持する。
【００９０】
段階１２０２で、ユーザがスティック１０１を動かすと、段階１２０３で、感知部１０４は、スティック１０１の移動方向を感知する。
【００９１】
段階１２０４で、検索部１０５は、第１テーブルを参照して感知された移動方向に対応する漢字構成単位を検索する。図１３に示すように、図面符号１３０５に対応する移動方向が感知された場合、移動方向に対応する漢字構成単位として漢字構成単位１３０１が検索される。
【００９２】
段階１２０５で、文字生成部（文字生成部は、漢字入力モードでは「漢字生成部」として機能するため、以下では漢字生成部と称する）１０６は、現在時点までに検索された漢字構成単位を配列する。
【００９３】
段階１２０６で、漢字生成部１０６は、第２テーブルを参照して配列された漢字構成単位に対応する「未完成漢字」を生成する。
【００９４】
本明細書で用いられる「未完成漢字」という用語は、未完成漢字に１つ以上の画を追加することで漢字が完成する場合の漢字を意味する。また、未完成漢字は、それ自体が１つの漢字である場合もある。
【００９５】
例えば、「十」という漢字にさらに二画を追加すれば「木」という漢字が完成する。このとき、「十」は「木」に対しては相対的に未完成漢字であるが、未完成漢字は場合によってはそれ自体が漢字として成立することがある。すなわち、「
2008533626.tif 000058
」という漢字は存在し得ないが、所定数の画を追加すれば「海」または「治」という漢字などになるため、「海」又は「治」に対しては相対的に未完成漢字に該当することになる。
【００９６】
このとき、追加すべき画は、第１テーブル及び第２テーブルをどのように構成するのかに応じて変更される。すなわち、文字入力装置１００の設計者は、「海」を作成するために必要な漢字構成単位である「
2008533626.tif 000059
」を、スティック１０１を（１）「左下方向移動→スティック１０１が中心点に復元→右方向移動」の場合に生成されるようにすることもできるし、（２）「左下方向移動→ユーザがスティック１０１を離さない状態でさらに右方向移動」した場合に生成されるようにすることもできる。また、実施形態によって（１）及び（２）の方法をすべて支援し、ユーザの趣向に適合する方法を選択するようにもできる。（１）の方法で漢字構成単位「
2008533626.tif 000060
」を入力する場合には画が２回、（２）の方法で漢字構成単位「
2008533626.tif 000061
」を入力する場合には画が１回追加されることになる。
【００９７】
現在までに検索および配列された漢字構成単位から生成された未完成文字が「
2008533626.tif 000062
」であり、段階１２０７で、漢字生成部１０６は、未完成文字に１つ以上の画を追加することで生成される漢字である「淪」、「治」、「淮」、「減」、「深」、「海」、「溶」、「浩」などの漢字を生成するようになる。
【００９８】
段階１２０８で、表示部１０７は、生成された未完成漢字及び漢字をそれぞれ所定の規則に従って所定のディスプレイ部上に選定された表示領域にディスプレイする。
【００９９】
本実施形態に係る表示部１０７は、ディスプレイ部上に（２Ｎ＋１）個の行と（２Ｎ＋１）個の列で構成される（２Ｎ＋１）×（２Ｎ＋１）個の表示領域を選定する。Ｎは負でない正数であるため、（２Ｎ＋１）は奇数を意味する。このとき、（Ｎ＋１）行と（Ｎ＋１）列に該当する表示領域は、表示領域のうち中央に位置する表示領域であって、以下では「中央表示領域」と称する。
【０１００】
図１４は、Ｎが１である場合、ディスプレイ部上に選定された９個の表示領域を例示的に示した図である。表示部１０７は、９個の表示領域のうちの中央表示領域には生成された未完成漢字を表示し、中央表示領域を除いた８個の表示領域には生成された漢字を表示する。図１５は、生成された未完成漢字である「
2008533626.tif 000063
」と、生成された漢字である「淪」などがそれぞれ表示された場合を示している。
【０１０１】
ここで、生成された漢字が８個を超える場合には、表示部１０７は表示可能な８個のみを先に表示し、その他の漢字は次のページの画面にディスプレイする。すなわち、１０個の漢字が生成された場合には、８個の漢字を先に表示し、残りの２個の漢字は次のページの表示領域にディスプレイし、ユーザが次のページを閲覧できるように所定のユーザインターフェイスを提供する。例えば、ユーザは、カーソルが（２Ｎ×１）列にある状態で選択ボタン１０２に含まれた方向ボタン１０２ｄを１度押すことによって、次のページを閲覧できるようにする。図１６は、現在ページに１個の未完成漢字と８個の漢字がディスプレイされており、次のページに１個の未完成漢字と２個の漢字がディスプレイされた場合を例示している。
【０１０２】
一方、段階１２０２から１２０９は、所定の選択信号が入力されるまで反復的に実行される。すなわち、ユーザがスティック１０１を反復的に動かして新しい画を入力するたびに、未完成漢字及び漢字は変更するようになる。
【０１０３】
図１７は、ユーザが画を１画ずつ追加して入力するたびに更新される未完成漢字及び漢字の例を示している。すなわち、図１７（ａ）に示すような未完成漢字及び漢字が生成された状態で、ユーザがスティック１０１を左下方向に動かして新しい画を追加した場合を示したものが図１７（ｂ）である。さらに、この状態からユーザが選択ボタン１０２を押さずにスティック１０１を右方向に動かして新しい画を追加すれば図１７（ｃ）のような未完成漢字及び漢字が生成され、さらにスティック１０１を右方向→中心点復元→下方向に動かして２画を追加すれば、図１７（ｄ）のような未完成漢字及び漢字が生成されるようになる。また、図１７（最下段）のボックス内は、「海」という漢字を入力するためのスティック１０１の動きについて理解し易く示した図である。
【０１０４】
一方、ユーザは、ディスプレイ部上に表示された漢字を確認し、スティック１０１を持続的に動かして所望する漢字の画をすべて入力する前に入力しようとする漢字が表示領域上にディスプレイされた場合には、選択ボタン１０２を押して該当する漢字を選択する選択信号を入力することができる（段階１２１０）。
【０１０５】
例えば、図１７（ｂ）のようなディスプレイ画面において、ユーザは選択ボタン１０２のうちの下方向ボタン１０２ｂを押すことによって、漢字「海」を選択できる。したがって、本実施形態によれば、ユーザは１つの漢字を構成するすべての画を入力するために必要なだけスティック１０１を動かす前にも、文字入力装置１００から所望する漢字の提供を受けることができ、提供された漢字を選択する簡単な動作だけで漢字を入力できるようになる。
【０１０６】
例えば、図１７に示すように、１１回（又は１０回）スティック１０１を動かすことで完成する漢字である「海」を、４回だけスティック１０１を動かした図１７（ｂ）状態で選択ボタン（方向ボタン１０２ｂ）を押すだけで、迅速かつ簡単に入力が可能となる。
【０１０７】
また、ユーザは、「海」という漢字のすべての画を入力した場合でも、漢字入力が完了したことを知らせるために、選択ボタン１０２のうちの中央ボタン１０２ｅを押すようになる。漢字も他の言語と同じように文字入力単位であり、一音節、一単語などの単位を用いることができる。仮に、文章単位で漢字を入力する場合には、「海神」という単語に該当する画をすべて入力した後に中央ボタン１０２ｅを押せばよい。
【０１０８】
現在、中国では、母国語である数万字に至る漢字を直接入力するだけの適切な代案がなく、表の文字である漢字の「発音」を英語アルファベットでタイピングし、その音に該当する多数の漢字から所望する漢字を検索して入力する間接的な方法を用いており、一般人が電子情報にアクセスするのに大きな障壁となっている。しかし、本発明に係る文字入力装置１００を用いれば、中国語を入力しようとする者がペンで漢字を書くのとほぼ同じような方式でスティック１０１を移動するだけで所望する漢字を入力できるようになるだけでなく、該当する漢字のすべての画を入力する前に文字入力装置１００が提示する候補文字から所望する文字を選択することができるため、画が多い漢字も迅速に入力できるようになるという長所がある。
【０１０９】
このように、本発明に係る文字入力装置１００は、すべての言語を該当する言語ユーザが字を書くのと同じようにスティック１０１を動かし、選択ボタン１０２を押して一単位の文字入力が完了したことを知らせればよいだけであるため、１つの装置ですべての言語に対する簡便な入力サービスを提供できるようになる。
【０１１０】
なお、本発明に係る文字入力方法は、コンピュータにより具現される多様な動作を実行するためのプログラム命令を含むコンピュータ読み取り可能な媒体を含む。上記媒体は、プログラム命令、データファイル、データ構造などを単独または組み合わせて含むこともできる。また、上記媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、上記媒体は、プログラム命令、データ構造などを保存する信号を送信する搬送波を含む光または金属線、導波管などの送信媒体でもよく、プログラム命令の例としては、コンパイラによって生成されるもののような機械語コードだけでなく、インタプリタなどを用いてコンピュータによって実行される高級言語コードを含むことができる。また、上述したハードウェア要素は、本発明の動作を実行するために一以上のソフトウェアモジュールとして作動するように構成することができ、その逆もできる。
【０１１１】
上述したように、本発明を好ましい実施形態に則して説明したが、本発明の技術分野において熟練した当業者にとっては、特許請求の範囲に記載された本発明の技術的思想及びその領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【０１１２】
【図１】（ａ）は、本発明に係る文字入力装置を構成するスティックと選択ボタンを例示した図であり、（ｂ）は、文字入力装置のその他の構成要素を示したブロック図である。
【図２】本発明の一実施形態に係る文字入力装置における文字入力過程を示したフローチャートである。
【図３】本発明の一実施形態に係る文字入力のための文字入力装置に保存された第１テーブルの一例を示した図である。
【図４】本発明の一実施形態に係る文字入力のための文字入力装置に保存された第２テーブルの一例を示した図である。
【図５】本発明の一実施形態に係る文字入力装置が複数の文字組み合わせを各方向ボタンと連関させてディスプレイ部に表示した画面を示した図である。
【図６】本発明のさらに他の実施形態に係る文字入力装置がディスプレイ部の現在ページに最大９個までの文字組み合わせを表示できるように９つの表示領域を具現する場合を例示した図である。
【図７】本発明のさらに他の実施形態に係る文字入力装置がスティックの移動方向を感知する方法を説明するための図である。
【図８】本発明のさらに他の実施形態に係る文字入力のための文字入力装置に保存された第１テーブルの一例を示した図である。
【図９】本発明のさらに他の実施形態に係る文字入力装置がスティックの移動方向を感知する方法を説明するための図である。
【図１０】本発明のさらに他の実施形態に係る文字入力装置がディスプレイ部にアクティブな言語モードを表示した場合の画面を示した図である。
【図１１】本発明のさらに他の実施形態に係る文字入力のための文字入力装置に保存された第１テーブル及び第２テーブルを示した図である。
【図１２】本発明のさらに他の実施形態に係る文字入力装置における漢字入力過程を示した図である。
【図１３】本発明のさらに他の実施形態に係る文字入力のための文字入力装置に保存された第１テーブル及び第２テーブルの一例を示した図である。
【図１４】本発明のさらに他の実施形態において、ディスプレイ部上に選定された９個の表示領域を例示的に示した図である。
【図１５】本発明のさらに他の実施形態において、選定された表示領域上に生成された未完成漢字及び漢字をそれぞれ表示した場合を例示的に示した図である。
【図１６】本発明のさらに他の実施形態において、ディスプレイ部の現在ページに１個の未完成漢字と８個の漢字がディスプレイされており、次のページに１個の未完成漢字と２個の漢字がディスプレイされている場合を説明するための図である。
【図１７】本発明のさらに他の実施形態において、ユーザがスティックを用いて漢字の画を１つずつ追加で入力するたびに更新される未完成漢字及び漢字の例を示した図である。
【図１】
2008533626.tif 000064
【図２】
2008533626.tif 000065
【図３】
2008533626.tif 000066
【図４】
2008533626.tif 000067
【図５】
2008533626.tif 000068
【図６】
2008533626.tif 000069
【図７】
2008533626.tif 000070
【図８】
2008533626.tif 000071
【図９】
2008533626.tif 000072
【図１０】
2008533626.tif 000073
【図１１】
2008533626.tif 000074
【図１２】
2008533626.tif 000075
【図１３】
2008533626.tif 000076
【図１４】
2008533626.tif 000077
【図１５】
2008533626.tif 000078
【図１６】
2008533626.tif 000079
【図１７】
2008533626.tif 000080
【国際調査報告】
2008533626.tif 000081
2008533626.tif 000082